(57)【特許請求の範囲】
【請求項１】
互いに接合する一方の木材の端面に縦設した切込溝に、他の一方の木材の側面に突設した平板状の接合基板の自由端側を係合し、該接合基板の上端に凹入切欠を形成し、この凹入切欠の、前記自由端側の側縁に回動させて圧接する押圧片を、前記切込溝に係合して前記一方の木材に外部から回動操作可能に枢支した、木造建築物の木材接合装置。
【請求項２】
押圧片に貫通させた組付け軸を一方の木材に回動可能に横設し、該組付け軸の一端を前記一方の木材の片面より没入可能に突出させた、請求項１記載の木造建築物の木材接合装置。
【請求項３】
接合基板に窓孔を設け、該窓孔の前記自由端側の側縁に回動させて圧接する第二押圧片を、外部から回動操作可能に前記一方の木材に枢支した、請求項１又は２記載の木造建築物の木材接合装置。
【請求項４】
第二押圧片に貫通させた組付け軸を一方の木材に回動可能に横設し、該組付け軸の一端を前記一方の木材の片面より没入可能に突出させた、請求項３記載の木造建築物の木材接合装置。
【発明の詳細な説明】
【０００１】
【産業上の利用分野】
本発明は、柱と梁などの横架材或いは梁と梁などの横架材同士を互いに接合するために用いる、木造建築物の木材接合装置に関するものである。
【０００２】
【従来の技術】
例えば、実開平７−１９４０９号公報に所載のように、支持杆貫通用の透孔を設けた平板状の接合基板の一端に取付部片を、他の一端に接合基板の板厚より外径の大きい円筒状の係止部片をそれぞれ連設し、前記取付部片に連続する支持部片を接合基板の下端に設けて構成した接合金具を用いた構造のものがある。
【０００３】
この従来例は、取付部片を柱や梁に取付け、該柱又は梁に接合する梁などの横架材に設けた切込溝に接合基板および係止部片を嵌挿させ、傾斜状にした係止部片を横架材に圧接させるようにして該横架材を前記柱や梁などに引寄せ、支持部片によって横架材を支持させる、すなわち、横架材の下面に支持部片を当てるようにして前記柱又は梁と前記横架材を接合するようにしたものである。
【０００４】
【発明が解決しようとする課題】
前記従来例は、横架材に設けたいわば垂直な孔（切込溝の奥端部）において傾斜状にした係止部片を嵌合させ、係止部片の傾斜縁の前記孔に沿う移動によって横架材が柱方向に引寄せられるようにしたものであるが、係止部片の傾斜角度によって引寄せ量が決まり、従って、引寄せ量を異にするものを必要とする際は、別種の金具を準備しなければならず、また、傾斜角度に対応させて横架材側に形成する前記の孔を断面形において長いもの（長孔）にしなければならず、これは横架材の強度を弱くすることになる。
【０００５】
また、前記従来例は、構造上、支持部片を横架材の下面に当てるようにするものであるため、横架材の高さ幅方向の適所に接合基板を配するには高さ幅の異なる横架材のそれぞれに対応した接合金具を準備しなければならない。すなわち、支持部片の存在によって横架材の位置関係が決まるため、横架材の高さ幅が広くなればなる程、高さ幅の有る接合基板を備えた接合金具を用いなければならず、従って、高さ幅の異なる横架材に対応して接合金具を準備しなければならない。
【０００６】
【課題を解決するための手段】
互いに接合する一方の木材の端面に縦設した切込溝に、他の一方の木材の側面に突設した平板状の接合基板の自由端側を係合し、該接合基板の上端に凹入切欠を形成し、この凹入切欠の、前記自由端側の側縁に回動させて圧接する押圧片を、前記切込溝に係合して前記一方の木材に外部から回動操作可能に枢支したことを基本的手段とする。
【０００７】
【実施例】
図面は本発明に係る木造建築物の木材接合装置の一実施例を示し、図１は一部欠截正面図、図２は図１の１Ａ−１Ａ線断面図、図３は接合作業完了時の状態を示す一部欠截正面図である。
【０００８】
実施例の木造建築物の木材接合装置は、木材接合金具１と押圧片２および第二押圧片２´を互いに組合わせて構成するものであって、木材接合金具１は、平板状の接合基板３の基端側にやや上方側にして取付部片４を連設し、自由端部の下部に螺子筒５を設けてこれに下面開口の螺子穴５ａを設けて構成したものである。
【０００９】
なお、螺子筒５を他の一方の木材２４に対して上方向に漸次離開するように傾斜させてあるのは、接合基板１に沿わせて切込溝２１において一方の木材２０を降下させたとき、切込溝２１が螺子筒５の傾斜縁に接して他の一方の木材２４方向に自動的に近接させるため、すなわち、引き寄せ動作を行わせるためである。
【００１０】
前記接合基板３は、その上端にほぼ円弧状の凹入切欠６と、この凹入切欠６の直下に位置するようにして前記第二押圧片２´係合用の丸い窓孔７をそれぞれ備え、また、前記取付部片４は、接合基板３より部分的に延長した部片４ａに該部片４ａの自由端部から下端側にかけてＬ字形部片４ｂを連設して構成し、Ｌ字形部片４ｂに締付けボルト８挿通用の透孔９を設けたものである。
【００１１】
前記押圧片２と第二押圧片２´は、組付け軸（断面角形状）１０、１０´の貫通用の透孔（組付け軸１０、１０´の断面形とほぼ一致する断面形を備えた）１１、１１´を備えた変形円形状のリング体で成り、押圧片２ないし第二押圧片２´を回動させたとき、前記凹入切欠６ないし窓孔７の、前記取付部片４の自由端側の側縁６ａ、７ａに、押圧片２ないし第二押圧片２´が圧接するように、前記凹入切欠６ないし窓口７を、押圧片２等の変形円形に対し異形円形としてある（例えば、一方を楕円形にし、他方を真円形にするなど、種々の形状関係が考えられ、円同志であっても偏心させれば良い）。
【００１２】
図中、２０は互いに接合する一方の木材（実施例では桁、梁などの横架材）で、該木材２０の端面２０ａの中央部に切込溝２１を縦設する一方、この切込溝２１と交差方向にして前記組付け軸１０、１０´を回動自在に挿通する貫通孔１２、１２´を形成してある。
【００１３】
一方、木材２０と接合する他の一方の木材２４（実施例では柱としてあるが、梁などの横架材でも良い）の前記端面２０ａに相対する側面２４ａには、係合凹部２２を設け、該係合凹部２２には前記他の一方の木材２４を貫く貫通孔２３を形成しておき、係合凹部２２に取付部片４を係合させ、取付部片４のＬ字形部片４ｂに設けて前記貫通孔２３と一致する透孔９側よりこれらに前記締付けボルト８を貫通させ、他の一方の木材２４の前記側面２４ａに相対する側面（図示省略）より突出する締付けボルト８の先端に締付けナットを螺合して締付けることにより、接合金具１は一方の木材２４の側面２４ａに突設される。
【００１４】
そして、接合金具１の接合基板３に設けた窓孔７に第二押圧片２´を接合させておき、一方の木材２０側の切込溝２１に係合した押圧片２を、貫通孔１２および透孔１１を通じて組付け軸１０によって一方の木材２０に組付け、この一方の木材２０を他の一方の木材２４と、他の一方の木材２４に突設し、しかも、第二押圧片２´を窓孔７に前記の通り係合した接合基板３の自由端側を前記切込溝２１に係合するようにして組み合わせると、予め設定した通り、押圧片２が接合基板３に設けた凹入切欠６に係合し、押圧片２の凹入切欠６に対する接触により組付け軸１０、押圧片２および木材接合金具１を介して一方の木材２０は他の一方の木材２４に支持される。
【００１５】
該支持された状態で、他の組付け軸１０´を、貫通孔１２´を通じて窓孔７に係合した第二押圧片２´の透孔１１´に貫通させて、前記組付け軸１０と同様、その端部が、一方の木材２０の片面より突出するように一方の木材２０に組付ける。
【００１６】
なお、図面上、第二押圧片２´と窓孔７との間に隙間があることにより第二押圧片２´が窓孔７に対して定位置を確保できない哉に見れるが、前記の隙間は解かり易くするために描いたもので、実際上は、窓孔７に第二押圧片２´はほぼ密嵌されて定位置を確保し、組付け軸１０´の透孔１１´に対する貫通操作は円滑に行うことができる。
【００１７】
そして、一方の木材２０の片面より突出する各組付け軸１０、１０´の端部に工具２５を係合してこれを回動させると、押圧片２は凹入切欠６の側縁６ａに、また、第二押圧片２´は窓孔７の側縁７ａにそれぞれ圧接し、一方の木材２０の他の一方の木材２４方向に引き寄せられ、この時点で各組付け軸１０、１０´の端部を一方の木材２０内に没入させ、また、一方の木材２０の下面側から座金２７を介して固定ボルト２８を螺子筒５の螺子穴５ａに螺合して締め付けると、前記組付け軸１０、１０´と同様、固定ボルト２８の頭部２８´は座金２７を介して木材２０の重量を部分的に受けることになり、両木材２０，２４の接合金具１を介する接合作業を終える。
【００１８】
図中、１８は一方の木材２０に切込溝２１に連通させて形成した螺子筒５の係合部で、この係合部１８の内縁に螺子筒５が圧接して前記の通り一方の木材２０は一方の木材２４側に引き寄せられる。
【００１９】
なお、凹入切欠６の開口上端側の上縁６ｂ、６ｂを傾斜状としたのは、押圧片２が凹入切欠６に（案内縁となって）係合し易くするためである。
【００２０】
また、一方の木材２０に対する切込溝２１等或いは他の一方の木材２４に対する第一係合凹部等の加工形成は、接合金具Ａないし両木材２０，２４との相対的な関係で行われる。
【００２１】
図１、図２において、一方の木材２０と他の一方の木材２４との間に隙間があるが、これは、本発明の説明上解かり易くするためで、図１、図２の状態においては実際上は両木材２０，２４が互いに接触しているときもあり、そのときは、一方の木材２０は他の一方の木材２４にいわばめり込むように引き寄せが行われる。両材の前記加工はこの点を踏まえて行われる。
【００２２】
【発明の効果】
本発明は、前記の通りの構成であるから、引寄せ操作を確実に行え、従来にない新規な構造の木材接合装置を提供でき、しかも、凹入切欠内に係合する押圧片の枢着位置を変えることにより、一方の木材の他の一方の木材方向へ引寄せ量を変えることができる。
【００２３】
押圧片および該押圧片の下側に配した第二押圧片の両者で引寄せを行うことができるから、引寄せ操作が確実に行われる。
【図面の簡単な説明】
【図１】一部欠截正面図。
【図２】図１の１Ａ−１Ａ線断面図。
【図３】接合作業完了時の状態を示す一部欠截正面図。
【符号の説明】
２      押圧片
３      接合基板
６      凹入切欠
６ａ    側縁
２０    一方の木材
２０ａ  端面
２４    他の一方の木材
２４ａ  側面
【図１】
0003742700.tif 000002
【図２】
0003742700.tif 000003
【図３】
0003742700.tif 000004